(57)【要約】【課題】  比較的簡単な構造で、シカ、サル、イノシシ、ハクビシンおよびタヌキなどの害獣類の種類に応じて好適な先鋭部材からなる撃退金具を容易に着脱できるとともに、学習能力が高いといわれるサルなどであっても先鋭部材からなる撃退金具が接触する可能性が高い害獣類防止具を提供する。【解決手段】  ワイヤ３が所定形状に組んで構成され枠体２に取り付けている。ワイヤ３に、止め具４に先鋭突起物５を有する撃退金具２が着脱自在に取り付けられる。害獣類がワイヤ３に接触するとワイヤ３に取り付けられた撃退金具２が害獣類の予想外の移動をすることができる。【選択図】  図１
2012249609.tif 000002
【特許請求の範囲】
【請求項１】
外枠や支柱部材やワイヤ等の所定の枠体にワイヤを所定形状に組んで取り付けられて、シカ、サル、イノシシ、ハクビシンやタヌキなどにより作物や住居などが荒らされる被害を防止する害獣類侵入防止具において、
前記ワイヤに、止め具に先鋭突起物を有する撃退金具が着脱自在に取り付けられて、害獣類が前記ワイヤに接触すると当該ワイヤに取り付けられた前記撃退金具が移動可能であることを特徴とする害獣類侵入防止具。
【請求項２】
前記ワイヤが所定方向に並列して配置されて所定の間隔で重ね合わされ、この重ね合わせ箇所を接合手段により接合して多数の所定形状の枠目が構成されていることを特徴とする請求項１記載の害獣類侵入防止具。
【請求項３】
前記所定の枠体に、ワイヤを挿通させる挿通穴が形成されており、前記ワイヤが前記枠体に移動可能に取り付けられていることを特徴とする請求項１又は２記載の害獣類侵入防止具。
【請求項４】
前記撃退金具の止め具は、断面Ｃ状に構成されて、その内部には空間が形成され、前記接合手段が配置された前記ワイヤの重ね合わせ箇所近傍を通過する構成であることを特徴とする請求項１記載の害獣類侵入防止具。
【請求項５】
前記撃退金具の止め具は、断面Ｃ状に構成されて、その内部から外部に向かって当該先鋭突起物が突出して設けられ、当該先鋭突起物の先端が外方に向かうように支持する錘が当該断面Ｃ状の止め具内に配されていることを特徴とする請求項４記載の害獣類侵入防止具。
【発明の詳細な説明】
【技術分野】
【０００１】
本発明は、シカ、サル、イノシシ、ハクビシンやタヌキなどの害獣類により作物や住居などが荒らされる被害を防止する害獣類侵入防止具に関する。
【背景技術】
【０００２】
一般に、農場、果樹菜園等では、シカ、サル、イノシシ、ハクビシンやタヌキといった害獣類による作物の被害を防ぐために、農場、果樹園等の周りを害獣類侵入防止具で取り囲むことが行われる。
従来、この種の害獣類侵入防止具としては、図１２に示すように、所定の間隔で植設された主柱１０２Ａ、１０２Ａと、この主柱に張設された防止ネット１０２Ｂとから構成されるものがある。この害獣類侵入防止具１０１では、防止ネット１０２Ｂが線径４ｍｍの太い線種のワイヤ等を用いて、害獣類が接触しても防止ネット１０２Ｂの網目構造が崩れないように強く張り詰めて構成されている。これにより、害獣類が害獣類侵入防止具１０１に接触して揺らしたりしても、網目を広げて侵入する穴を作ったりすることができない強固な構造となっている（特許文献１、２、４）。そして、このような強固な構造の害獣類侵入防止具に、例えば、有刺鉄線の刺（先鋭突起物）のような痛み等を与える撃退金具を配置して、侵入を防止する工夫が多くなされている（特許文献３、５）。
【先行技術文献】
【特許文献】
【０００３】
【特許文献１】実開平２−１２０１７２号
【特許文献２】特開２００９−１８３１６６号
【特許文献３】特開２００７−１７５０４１号
【特許文献４】特開平１０−４８５４号
【特許文献５】実用新案登録第３０４５７７５号
【発明の概要】
【発明が解決しようとする課題】
【０００４】
しかしながら、上述した従来の害獣類侵入防止具では、撃退金具が固定されているか、若しくはその動きが一定の予測可能なものであるため、害獣類が撃退金具を避けて接触する確率が低く、痛み等を与える効果は非常に小さいという問題があった。
特に、害獣類の中には、サルのように学習能力が高い害獣類の場合は、一度有刺鉄線の刺のような撃退金具に接触すれば痛み等を覚えて、次にはその有刺鉄線の刺をずらしたり取ったりなどすることができ、ワイヤに接触してよじ登り、柵を越えて侵入することができてしまう。その結果、従来の害獣類侵入防止具では、どのような害獣類に対しても、特に知能が比較的高い害獣類に対して、確実に痛み等を与えて撃退させることはできないという問題があった。タヌキヤやハクビシンについては、ネットの隙間等、頭部が潜れる大きさの隙間から侵入できるので、小さな穴も補修する必要がある。
一方、電流線による害獣類侵入防止具においては、設置面積が広いと、その費用が高く漏電防止のための草刈と電源を必要をしている。また、破損に対する修理費用も高く、そのコストに比べて侵入防止効果は薄く、非常に効率が悪いという問題があった。
【０００５】
そこで、本発明の目的は、比較的簡単な構造で、シカ、サル、イノシシ、ハクビシンやタヌキなどの害獣類の種類に応じて好適な先鋭部材からなる撃退金具を容易に着脱できるとともに、学習能力が高いといわれるサルであっても先鋭部材からなる撃退金具が接触する可能性が高い害獣類防止具を提供することにある。
【課題を解決するための手段】
【０００６】
本発明の害獣類侵入防止具は、外枠や支柱部材やワイヤ等の所定の枠体にワイヤを所定形状に組んで取り付けられて、シカ、サル、イノシシ、ハクビシンやタヌキなどの害獣類により作物や住居などが荒らされる被害を防止する害獣類侵入防止具において、前記ワイヤに、止め具に先鋭突起物を有する撃退金具が着脱自在に取り付けられて、害獣類が前記ワイヤに接触すると当該ワイヤに取り付けられた前記撃退金具が移動可能であることを特徴とする。ここで、ワイヤは、外枠や支柱部材やワイヤ等の所定の枠体に緩く所定形状に組んで取り付けられていることが好ましい。
【０００７】
本発明によればシカ、サル、イノシシ、ハクビシンやタヌキなどの害獣類の種類に応じて撃退金具を着脱して使用する。害獣類の種類に応じて効果が異なる場合にも対応可能にするためであるが、複数種類の撃退金具を枠体に装着しても良い。害獣類がワイヤに接触すると撃退金具がワイヤに沿って移動可能とされているので、従来の固定式のものと比較して、害獣類が撃退金具から逃げることが難しく、シカ、サルやイノシシなどでも学習することが難しくなる。また、本発明によれば、従来の固定式のものと比較して、ネットの隙間からの侵入を防止する確率が高くなる。
【０００８】
本発明の害獣類侵入防止具は、前記ワイヤが所定方向に並列して配置されて所定の間隔で重ね合わされ、この重ね合わせ箇所を接合手段により接合して多数の所定形状の枠目が構成されていることを特徴とする。
【０００９】
本発明によれば、ワイヤを交差させて枠目構造を形成しなくとも、ワイヤを所定の方向に並列配置して、２本のワイヤを所定の間隔で重ね合わせて接合手段で接合するだけで、簡単に多数の所定形状の枠目を構成することができる。このようにして構成された枠目構造は、ワイヤを交差させる場合より一つ一つの枠目が安定しており、害獣類の接触によりワイヤに荷重がかかった場合でもその構造が偏ったりすることはない。
【００１０】
本発明の害獣類侵入防止具は、前記外枠には、前記ワイヤを挿通させる挿通穴が形成されており、前記ワイヤが前記枠体に移動可能に取り付けられていることを特徴とする。
【００１１】
本発明によれば、ワイヤが枠体に形成された挿通穴を通って枠体内を移動可能に取り付けられる。これにより、ワイヤを緩く張ることができ、大きな移動が可能となる。その結果、害獣類がワイヤに荷重をかけると、ワイヤが不安定な動きをするため、ワイヤに取り付けられた撃退金具が予測不能な動きをする。したがって、比較的知能の高い害獣類が撃退金具に一度接触して痛み等を覚えて学習したとしても、予測不能な動きに対応でき難くする。また、ワイヤが重なり合うように緩く組まれることで、撃退金具が所定形状の頂点部近傍に配置された場合に、その頂点部のただ一点だけではなく、接合手段が配置された前記ワイヤの重ね合わせ箇所近傍を左右に移動することができ、害獣類と接触する可能性が高くなる。
【００１２】
本発明の害獣類侵入防止具は、前記撃退金具の止め具は、断面Ｃ状に構成されて、その内部には空間が形成され、前記接合手段が配置された前記ワイヤの重ね合わせ箇所近傍を通過する構成であることを特徴とする。
【００１３】
本発明によれば、撃退金具が断面Ｃ状に構成されることで、略菱形状に組まれるワイヤの重ね合わせ箇所である各頂点部に停止せずにその内部に形成された空間を各頂点部が通過することができる。したがって、各頂点部を跨いで片側からその反対側に害獣類が逃げたとしても、撃退金具が追いかけるように移動して、接触する可能性が高くなる。また、ワイヤが重なり合うように緩く組まれていることで、断面Ｃ状に構成された撃退金具が荷重方向に傾き、害獣類に接触して痛み等を与える確率が高くなる。この撃退金具の動きは、荷重をかける位置、荷重の重さ等により変動する予測不能なものであるため、知能の高い害獣類でも、撃退金具を避けることは難しいものとなる。
【００１４】
本発明の害獣類侵入防止具は前記撃退金具の止め具は、断面Ｃ状に構成されて、その内部から外部に向かって当該先鋭突起物が突出して設けられ、当該先鋭突起物の先端が外方に向かうように支持する錘が当該断面Ｃ状の止め具内に配されていることを特徴とする。
【００１５】
本発明によれば、撃退金具の内部から外部に向かって突出する針が、止め具内に配された錘で強固に固定されることで、撃退金具を外側に向かって支持するとともに、害獣類が撃退金具に強く接触しても針が外れたりすることがない。
【発明の効果】
【００１６】
本発明によれば、害獣類が前記ワイヤに接触すると当該ワイヤに取り付けられた前記撃退金具が移動可能であるから、シカやサルなどの害獣類の種類に応じて好適な先鋭部材からなる撃退金具を容易に着脱できるとともに、学習能力が高いといわれるサルであっても先鋭部材からなる撃退金具が接触する可能性を高くすることが可能である。また、本発明によれば、従来の固定式のものと比較して、ネットの隙間からの侵入を防止する確率が高くなる。
特に、断面Ｃ状に形成された撃退金具を用いることで、撃退金具が略菱形状に組まれる各頂点部に停止しないため、各頂点部を跨いで片側からその反対側に害獣類が逃げたとしても、撃退金具が追いかけるように移動して、撃退金具が接触する可能性を高くすることが可能である。
【図面の簡単な説明】
【００１７】
【図１】本発明の実施形態の害獣類侵入防止具を説明する外観斜視図である。
【図２】図１の害獣類侵入防止具を模式的に示す正面図である。
【図３】図１の撃退金具を説明する斜視図であり、図３（ａ）は撃退金具の開閉部を開いた状態の図であり、図３（ｂ）は開閉部を閉じた状態の図である。
【図４】上記撃退金具の他の例を説明する図であり、図４（ａ）はワイヤの移動を大きく許容する例の側面図であり、図４（ｂ）は錘の間でワイヤを介在させる例の側面図である。
【図５】図１の害獣類侵入防止具に害獣類が荷重をかけた状態を説明する図であり、図５（ａ）はワイヤに接触した直後の状態を示す図であり、図５（ｂ）はワイヤに沿って移動した後、撃退金具に接触した状態を示す図である。
【図６】図１の害獣類侵入防止具の設置状態を例示する図であり、図６（ａ）は正面図、図３（ｂ）は側面図である。
【図７】本発明の他の実施形態の害獣類侵入防止具を模式的に示す正面図である。
【図８】本発明の他の実施形態の害獣類侵入防止具を模式的に示す正面図である。
【図９】本発明の他の実施形態の害獣類侵入防止具を模式的に示す正面図である。
【図１０】本発明の他の実施形態の害獣類侵入防止具を模式的に示す正面図である。
【図１１】本発明の他の実施形態の害獣類侵入防止具を模式的に示す正面図である。
【図１２】従来技術の害獣類侵入防止具を説明する正面図である。
【発明を実施するための形態】
【００１８】
以下、本発明を実施するための形態を図面を引用しながら説明する。
図１は本発明の実施形態の害獣類侵入防止具を説明する外観斜視図であり、図２は、図１の害獣類侵入防止具を模式的に示す正面図である。図３（ａ）（ｂ）は、図１の撃退金具２を説明する斜視図である。
【００１９】
本実施の形態の害獣類進入防止具１は、主に学習能力の高いサルが作物や住居などが荒らされる被害を防止するためのもので、ワイヤ３が略長方形状の枠体９内で所定形状に組んで構成され、図１及び図２に示すように、撃退金具２がワイヤ３に取り付けられている。
【００２０】
撃退金具２は、図３に示すように、止め具４に針（先鋭突起物）５が設けられている。本実施の形態では、止め具４は、開閉部７を有する断面Ｃ状に構成されて、その内部から外部に向かって３本の針５が突出して設けられている。そして、止め具４の針５が断面Ｃ状の外方に向かうように支持する錘６が断面Ｃ状の止め具４内に配されている。止め具４の開閉部７をワイヤ３が通過することで、撃退金具２はワイヤ３に着脱自在に取り付けられている。この撃退金具２は、軟質の合成樹脂で構成されることで、ワイヤの動きに連動して柔軟に動くことができるが、材料はこれに限定されない。そして、撃退金具２は、図３（ａ）に示すように、止め具４の開閉部７を介してワイヤ３に取り付けた後、図３（ｂ）に示すように止め具４の開閉部７をプラスチック溶接で接着して、溶接部７ａとすることで、ワイヤ３の動きに対応しつつ、ワイヤ３から取り外れることがなくなる。
撃退金具２は、シカ、サル、イノシシ、ハクビシンやタヌキなどの害獣類に応じて作成することが好ましく、それを複数種類を用意して、ワイヤ３に装着させても良い。例えば、錘６には着色することもでき、この場合は、例えば、警戒色として赤色を用いて、視覚的にも侵入防止の効果を与えたり、赤色や紫色の果実や或いはブルーのぶどうの色等にして、これらによりサルを誘き寄せるようにしたりすることができる。さらに、錘６にすず等の音のでるものを用いることで、聴覚的にも侵入防止の効果を与えることができる。
【００２１】
ワイヤ３は、支柱部材として枠体９内で所定方向に並列して配置されて、枠体９に形成された挿通穴１０を挿通して、枠体９に移動可能に取り付けられる。なお、２本の支柱部材の間でも適用可能であり、図１１に示すように、外枠や支柱部材としては、ワイヤ２０を用いられることができる。
本実施の形態では、図２に示すように、枠体９内に４本のワイヤ３，３が並列して配置されている。そして、最上部に配されたワイヤ３は、まず、左側の枠体９ａの挿通穴１０を通り、上側の枠体９ｂの挿通穴１０を順に通った後、右側の枠体９ａの挿通穴１０を通って、最後に左側の枠体９ａの挿通穴１０を通った後、クリップなどの締結部材１２で締結されて枠体９に取り付けられる。中間部に配された２本のワイヤ３は、枠体９の左右の枠体９ａ、９ａの挿通穴１０を通って、締結部材１２でそれぞれ締結され、枠体９に取り付けられる。最下部に配されたワイヤ３は、左側の枠体９ａの挿通穴１０を通り、右側の枠体９ａの挿通穴１０を通って、下側の枠体９ｂの挿通穴１０を順に通った後、左側の枠体９ａの挿通穴１０を通った後、最後に締結部材１２で締結されて枠体９に取り付けられる。ワイヤ３としては、細い径で強度が大きい材料、例えば安価なピアノ線などが用いられることができる。強度の大きいピアノ線を用いることで、ワイヤがサル等の害獣類によって仕切られて破損するのを防止することができる。これより、ワイヤ３を緩く張ることができるが、所定長さのものを使用するので、その長さ以上には緩まない。そして、害獣類がワイヤ３に荷重をかけると、ワイヤ３が不安定な動きをするため、ワイヤ３に取り付けられた撃退金具２が予測不能な動きをする。したがって、比較的知能の高い害獣類が撃退金具２に一度接触して痛み等を覚えて学習したとしても、予測不能な動きに対応できず、撃退金具２に接触することで侵入を防止することができる。
【００２２】
上記ワイヤ３は、所定の間隔で重ね合わされ、図３に示すように、この重ね合わせ箇所１３を接合手段１１により接合される。本実施の形態では、図１に示すように、上下方向に隣接して並列配置された２本のワイヤ３が、それぞれ均等な間隔で重ね合わされて、この重ね合わせ箇所１３を接合手段１１により接合されて、重ね合わせ箇所１３を頂点に持つ略菱形状の均一な枠目が構成されている。ワイヤ３は、害獣類の荷重がかかると隣接して並列配置された２本のワイヤ３が略菱形状の各頂点部１３の近傍で重なり合うように、緩く組まれている。
これにより、ワイヤ３を交差させて枠目構造を形成しなくとも、ワイヤ３を所定の方向に並列配置して、２本のワイヤ３を所定の間隔で重ね合わせて接合手段１１で接合するだけで、簡単に多数の略菱形状の枠目を構成することができる。そして、枠目構造が接合手段１１によって接合されて形成されることで、ワイヤ３をただ交差させるだけの場合より安定したものとなり、害獣類の接触により撃退金具２の配列が偏らない安定したものとなる。また、撃退金具２の針５の長さを長くすると、上記枠目の隙間からの侵入を防止する確率が高くなる。
【００２３】
そして、撃退金具２は、ワイヤ３の重ね合わせ箇所１３に配置される。撃退金具２の止め具４は、断面Ｃ状に構成されており、その内部に空間８が形成されている。撃退金具２は、この空間８を介して、接合手段１１が配置されたワイヤ３の重ね合わせ箇所１３の近傍を通過できる構成である。これより、撃退金具２は、略菱形状に組まれるワイヤ３の重ね合わせ箇所１３である各頂点部１３に停止せずに、その内部に形成された空間８を各頂点部１３が通過することができる。したがって、各頂点部１３を跨いで片側からその反対側に害獣類が逃げたとしても、撃退金具２が追いかけるように移動して、接触する可能性が高くなる。また、ワイヤ３が重なり合うように緩く組まれていることで、断面Ｃ状に構成された撃退金具２が荷重方向に傾き、害獣類に接触して痛み等を与える確率が高くなる。この撃退金具２の動きは、荷重をかける位置、荷重の重さ等により変動する予測不能なものであるため、知能の高い害獣類でも、撃退金具２を避けることは難しいものとなる。
ここで、図４は、撃退金具２の他の例を示し、図４（ａ）に示す撃退金具２２ａは、接合手段１１が設けられておらず、その分、断面Ｃ状の止め具４内において、ワイヤ３の移動する許容度を大きくしている。図４（ｂ）に示す撃退金具２２ｂは、錘６が大きなもので、３つの錘が接触する隙間において、ワイヤ３の移動する許容するものである。
【００２４】
図５は、本発明の害獣類侵入防止具１に害獣類が荷重をかけた状態を説明する図であり、図５（ａ）はワイヤ２に接触した直後の状態を示す図であり、図５（ｂ）はワイヤ２に沿って移動した後、撃退金具に接触した状態を示す図である。
図５（ａ）に示すように、ワイヤ３に害獣類（サルの手や足）１４が接触して荷重をかけると、ワイヤ３は、緩く張られており、また、細い線径であることで、害獣類３はワイヤ上を滑ってしまう。その結果、害獣類１４は、ワイヤ３の略菱形状の一辺の上部で安定してじっとしていることはできず、図５（ａ）の矢印の方向へとワイヤ３上を滑って、ワイヤ３の重ね合わせ箇所１３である各頂点部１３の近傍へと移動する。そうすると、ワイヤ３により構成された略菱形状の形状は変形して、撃退金具２は、図５（ｂ）の矢印の方向（半時計周り）に回転して、害獣類１４に接触する。その結果、撃退金具の針５が害獣類１４に刺さり、害獣類１２に痛み等を与えることができる。実際には、接触してからワイヤ上を滑る速度が速いことため、刺さる度合いも痛み等を与える効果が大きくなる。
なお、サルが枠体（柵）９を乗り越えようとするとき、通常の金網ではワイヤの交差する安定感のある箇所に手や足を掛けることが多いが、本実施の形態では、重ね合わせ箇所１３には、撃退金具２が配されているので、手や足を掛けることができず、その周辺を探そうとする。しかし、周辺に手や足を掛けても、緩くワイヤ３が配されていること等から、手や足が重ね合わせ箇所１３に移動するので、どこも手や足を掛けることができなくなる。
【００２５】
害獣類侵入防止具１の設置例を、図６に示す。害獣類侵入防止具１は、枠体９の下方に備えられた固定ピン１５の先端を土台１６中に埋め込むことによって固定設置される。そして、上方の枠体９に吊下用ワイヤ１７を備えて、この吊下用ワイヤ１７を柱１８から水平方向に突出して固定された吊下用パイプ１９に取り付け固定する。これにより、上下方向で安定して設置されることができる。
【００２６】
本発明の害獣類侵入防止具の他の実施例を図７に示す。図７に示すように、害獣類侵入防止具２１は、上述した害獣類侵入防止具１の縦横を反対にして構成したものである。すなわち、上述した害獣類侵入防止具１では、撃退金具２は、止め具４が有する内部の空間８をワイヤ３が左右に通過するよう取り付けられていたのに対し、本実施の形態の獣類侵入防止具２１では、上下に通過するよう取り付けられている。この害獣類侵入防止具２１では、撃退金具２の針５が左右方向に配されて、荷重がかかった場合に、図７に示すように、ワイヤ３を中心に回転する。
【００２７】
また、本発明の害獣類侵入防止具の他の実施例を図８に示す。本発明の害獣類侵入防止具３１は、上述した害獣類侵入防止具１では４本のワイヤ３が並列配置され各４箇所で締結されていたのに対し、１本のワイヤ３が並列配置され１箇所で締結されている。これにより、ワイヤ３の取り付け箇所が少なくなることで、取り付けが容易となると共に、ワイヤ３の締結が外れる危険性を減少させることができる。
【００２８】
また、本発明の害獣類侵入防止具の他の実施例を図９に示す。本発明の害獣類侵入防止具４１は、上述した害獣類侵入防止具１では均一な略菱形状の枠目が構成されていたのに対し、大小の略菱形状が重なって枠目が構成されている。そして、小さな略菱形状の各枠目にも撃退金具２が配置されている。これにより、枠目構造が細かくなって、撃退金具２が多く配されるので、痛み等を与え、侵入防止の確率が高くなる。
【００２９】
本発明の害獣類侵入防止具の他の実施例を図１０に示す。図１０に示すように、害獣類侵入防止具５１は、上述した害獣類侵入防止具１ではワイヤ３が重ね合わせ箇所１３で接合手段１１により連結固定されて枠目構造が形成されていたのに対し、ワイヤ３が連結固定されずに枠目構造が形成されている。すなわち、本実施の害獣類侵入防止具５１では、ワイヤ３を交差させて枠体９に取り付ける。そして、ワイヤ３の交差点５１に撃退金具２を配置する。その結果、本実施の害獣類侵入防止具５１では、害獣類がワイヤ３に手や足をかけると、ワイヤ３は接合手段１１で接合されていないので、各ワイヤ３を障害なく、上方から下方まで滑り落ちることとなる。下方まで滑り落ちた害獣類は、下方で堆積した撃退金具２により痛み等を受ける。なお、交差点５２では、撃退金具２が配置されて接合手段１１の役割を担っているので、部品点数の減少化となる。そして、上記撃退金具２と、他の撃退金具２２ａ，２２ｂを混在させている。
【００３０】
本発明の害獣類侵入防止具の他の実施例を図１１に示す。図１１に示すように、害獣類侵入防止具６１は、上述した害獣類侵入防止具１では支柱部材として外枠９が用いられていたのに対し、ワイヤ２０が枠体として用いられている。すなわち、本実施の害獣類侵入防止具６１では、ワイヤ３が外枠としてのワイヤ２０に引っ掛けられている。本実施の害獣類侵入防止具６１では、ワイヤ３を枠体９の挿通穴１０に挿通させなくてよいので、容易にワイヤ３を支柱部材に取り付けられると共に、ワイヤ３がワイヤ２０内での動く自由度が増すとともに、外枠としてのワイヤ２０とともにワイヤ３が移動する割合が高くなる。
【００３１】
以上、本実施の形態では、適用される害獣類として主に、シカ、サル、イノシシ、ハクビシンおよびタヌキなどを例に説明したが、撃退金具の構成を種々変更可能であるから、広く害獣類に適用可能である。すなわち、カラスのような鳥類に対しても適用可能である。
【符号の説明】
【００３２】
１，１１，２１，３１，４１，５１，６１    害獣類侵入防止具、
２，２２ａ，２２ｂ                        撃退金具、
３                                        ワイヤ、
４                                        止め具、
５                                        針（先鋭突起物）、
６                                        錘、
７                                        止め具の開閉部
７ａ                                      止め具の溶接部
８                                        止め具の空間、
９，９ａ，９ｂ                            枠体（外枠）、
１０                                      挿通穴、
１１                                      接合手段、
１２                                      締結部材、
１３                                      重ね合わせ箇所（頂点部）、
１４                                      害獣類、
１５                                      固定ピン、
１６                                      土中、
１７                                      吊り下げ用ワイヤ、
１８                                      柱、
１９                                      吊り下げ用パイプ、
２０                                      支柱ワイヤ
【図１】
2012249609.tif 000003
【図２】
2012249609.tif 000004
【図３】
2012249609.tif 000005
【図４】
2012249609.tif 000006
【図５】
2012249609.tif 000007
【図６】
2012249609.tif 000008
【図７】
2012249609.tif 000009
【図８】
2012249609.tif 000010
【図９】
2012249609.tif 000011
【図１０】
2012249609.tif 000012
【図１１】
2012249609.tif 000013
【図１２】
2012249609.tif 000014